(57)【要約】【課題】  簡単安価な構造で球面収差補正を正常に行なうこと。【解決手段】  球面収差補正レンズ４を一端部に取り付けたレンズホルダ６を有し、該レンズホルダ６の他端部に形成した段差１８がガイドレール９に移動可能に係合され、レンズホルダ６の一側縁６ａの中央ボス部６Ａと段差１８との間にリードスクリュー１２を間に挟んで一対のストッパ１９が一体突設され、リードナット１３から側方に突出して各ストッパ１９に当接する一対のアーム１３ｂ，１３ｃが設けられ、各ストッパ１９のアーム当接面１９ａがレンズホルダ６の中央ボス部６Ａの軸心Ｘとは直交して該レンズホルダ６の一側縁６ａに対し平行する仮想線Ｓとそのレンズホルダ６の一側縁６ａとの間に位置決めされており、リードスクリュー１２を正逆回転させてリードナット１３及びレンズホルダ６を介して球面収差補正レンズ４を光軸Ｏに沿って往復移動させる。【選択図】        図２
2011060374.tif 000002
【特許請求の範囲】
【請求項１】
ディスクの半径方向に沿って移動可能なスライドベースに対物レンズとレーザダイオー
ドとを備えた光ピックアップが設けられ、前記対物レンズとレーザダイオードとの間に配
置された球面収差補正レンズを往復移動させるための球面収差補正機構が設けられ、該球
面収差補正機構が、球面収差補正レンズを一端部に取り付けたレンズホルダを有し、該レ
ンズホルダがその中央ボス部をガイドロッドに移動可能に嵌合させその他端部をガイドレ
ールに移動可能に係合させることにより球面収差補正レンズを通る光軸に沿って移動可能
に形成され、リードスクリューに螺合するリードナットがレンズホルダに係合され、該レ
ンズホルダをリードナットに押し付けるばねが設けられており、リードスクリューを正逆
回転させてリードナット及びレンズホルダを介して球面収差補正レンズを光軸に沿って往
復移動させることにより球面収差を補正し、レーザダイオードからレーザ光を球面収差補
正レンズ及び対物レンズを通ってディスクに投射し、その反射光に基づいてディスクに記
録されている情報を読み取るようにしたディスク装置において、前記レンズホルダの他端
部に形成した段差がガイドレールに移動可能に係合され、レンズホルダの一側縁の中央ボ
ス部と段差との間にリードスクリューを間に挟んで一対のストッパが一体突設され、リー
ドナットから側方に突出して各ストッパに当接する一対のアームが設けられ、各ストッパ
のアーム当接面がレンズホルダの中央ボス部の軸心とは直交して該レンズホルダの一側縁
に対して平行する仮想線とそのレンズホルダの一側縁との間に位置決めされていることを
特徴とするディスク装置。
【請求項２】
前記レンズホルダの他側縁に切り欠き溝が形成され、該切り欠き溝に前記リードスクリ
ューが遊嵌入されていることを特徴とする請求項１に記載のディスク装置。
【発明の詳細な説明】
【技術分野】
【０００１】
本発明は、例えばＢｌｕ−ｒａｙ  Ｄｉｓｃ式のレコーダ（またはプレーヤ）などのデ
ィスク装置に関し、特に、簡単安価な構造で球面収差補正を正常に行なうことができるよ
うにしたものである。
【背景技術】
【０００２】
図４の概略図はディスク装置の一例を示すものであり、これはＢｌｕ−ｒａｙ  Ｄｉｓ
ｃ式のレコーダ（またはプレーヤ）であって、ディスクＤの半径方向に沿って移動可能な
スライドベース１に対物レンズＯＬとレーザダイオードＬＤとを備えた光ピックアップ２
が設けられ、球面収差補正機構３により往復移動される球面収差補正レンズ４が対物レン
ズＯＬとレーザダイオードＬＤとの間に配置され、前記球面収差補正レンズ４としてコリ
メートレンズを用いることにより、球面収差を補正する機能とコリメート（収束）させる
機能とを併せ持たせている。なお、ＰＢＳは偏光ビームスプリッタである。
【０００３】
従来、球面収差補正機構３の一例として図５及び図６に示すものがあり、図５は同平面
図、図６（ａ）はＤ−Ｄ矢視図、図６（ｂ）はＥ−Ｅ矢視図、図６（ｃ）はＦ−Ｆ矢視図
である。
【０００４】
図５及び図６に示すように、球面収差補正機構３は、球面収差補正レンズ４を一端部に
取り付けたレンズホルダ６を有し、該レンズホルダ６の中央ボス部６Ａをスライドベース
１に固定したガイドロッド７に移動可能に嵌合させ、そのレンズホルダ６の他端部側面に
凹設した凹溝８をスライドベース１に一体形成したガイドレール９に移動可能に嵌合させ
ることにより、球面収差補正レンズ４を通る光軸Ｏに沿ってレンズホルダ６が矢印ａ，ｂ
方向に移動可能に形成されている。
【０００５】
図５及び図６に示すように、レンズホルダ６の一側縁６ａの中央ボス部６Ａと凹溝８と
の間に切り欠き溝１０が形成され、モータ１１により正逆回転されるリードスクリュー１
２がガイドロッド７と平行して切り欠き溝１０に遊嵌入され、該リードスクリュー１２に
リードナット１３が螺合され、該リードナット１３の上端に一体突設した突起部１３ａが
レンズホルダ６の他側縁６ｂに一体突設した突条部６Ｂを切り欠いて形成した回り止め溝
１４に嵌入され、ガイドロッド７に遊外嵌するコイル状ばね１５によりレンズホルダ６が
リードナット１３に押し付けられている。図５中、１６はリードナット１３がリードスク
リュー１２から離脱されるのを阻止する板ばねである。
【０００６】
情報読取手順を説明すると、レーザダイオードＬＤから球面収差補正レンズ４及び対物
レンズＯＬを通ってレーザ光をディスクＤに投射すると共に、モータ１１を駆動してリー
ドスクリュー１２を正逆回転させることにより、リードナット１３も正逆回転ｃ，ｄされ
、該リードナット１３の突起部１３ａを回り止め溝１４の内側面１４ａ，１４ｂに当てる
ことにより、該リードナット１３とレンズホルダ６とを一体的に矢印ａ，ｂ方向に移動さ
せ、これによって、球面収差補正レンズ４を光軸Ｏに沿って往復移動させて球面収差を補
正し、ディスクＤの記録面で反射された反射光に基づいて情報を読み取り、映像の再生や
記録を行う。なお、関連する技術として特許文献１に記載したものがある。
【先行技術文献】
【特許文献】
【０００７】
【特許文献１】特開２００８−２８１７９５号公報
【発明の概要】
【発明が解決しようとする課題】
【０００８】
上記従来の構成では、モータ１１を駆動してリードスクリュー１２を正逆回転させるこ
とにより、リードナット１３が正転ｃされると、該リードナット１３の突起部１３ａが回
り止め溝１４の一方の内側面１４ａに当たってレンズホルダ６が矢印ｅ方向に押され、リ
ードナット１３が逆転ｄされると、該リードナット１３の突起部１３ａが回り止め溝１４
の他方の内側面１４ｂに当たってレンズホルダ６が矢印ｆ方向に押され、その結果、レン
ズホルダ６がガイドロッド７を中心に揺動ｅ，ｆされ、球面収差補正レンズ４の中心も揺
れて光軸Ｏに対し位置ずれし、球面収差補正に誤差が生じるおそれがあり、それを防止す
るため、図６（ａ）に示すように、凹溝８の両ガイドレール当接面８ａ，８ｂとガイドレ
ール９の両ガイド面９ａ，９ｂとを摺動可能に密接させている。
【０００９】
上記構成では、凹溝８の両ガイドレール当接面８ａ，８ｂ及びガイドレール９の両ガイ
ド面９ａ，９ｂの４面をそれぞれ精密に仕上げる必要があり、手間と時間がかかって、製
作費が高くつく。
【００１０】
上記のように精密に仕上げても、凹溝８のガイドレール当接面８ａ，８ｂとそれに対向
するガイドレール９の両ガイド面９ａ，９ｂとの間にわずかな隙間が生じ、その隙間の存
在により、レンズホルダ６がガイドロッド７を中心にわずかに揺動ｅ，ｆされ、球面収差
補正レンズ４の中心も揺れて光軸Ｏに対し位置ずれし、球面収差補正に誤差が生じるおそ
れがある。
【００１１】
本発明は、上記従来の欠点に鑑み、簡単安価な構造で球面収差補正を正常に行なうこと
ができるようにしたディスク装置を提供することを目的としている。
【課題を解決するための手段】
【００１２】
上記目的を達成するため、請求項１に記載の発明は、ディスクの半径方向に沿って移動
可能なスライドベースに対物レンズとレーザダイオードとを備えた光ピックアップが設け
られ、前記対物レンズとレーザダイオードとの間に配置された球面収差補正レンズを往復
移動させるための球面収差補正機構が設けられ、該球面収差補正機構が、球面収差補正レ
ンズを一端部に取り付けたレンズホルダを有し、該レンズホルダがその中央ボス部をガイ
ドロッドに移動可能に嵌合させその他端部をガイドレールに移動可能に係合させることに
より球面収差補正レンズを通る光軸に沿って移動可能に形成され、リードスクリューに螺
合するリードナットがレンズホルダに係合され、該レンズホルダをリードナットに押し付
けるばねが設けられており、リードスクリューを正逆回転させてリードナット及びレンズ
ホルダを介して球面収差補正レンズを光軸に沿って往復移動させることにより球面収差を
補正し、レーザダイオードからレーザ光を球面収差補正レンズ及び対物レンズを通ってデ
ィスクに投射し、その反射光に基づいてディスクに記録されている情報を読み取るように
したディスク装置において、前記レンズホルダの他端部に形成した段差がガイドレールに
移動可能に係合され、レンズホルダの一側縁の中央ボス部と段差との間にリードスクリュ
ーを間に挟んで一対のストッパが一体突設され、リードナットから側方に突出して各スト
ッパに当接する一対のアームが設けられ、各ストッパのアーム当接面がレンズホルダの中
央ボス部の軸心とは直交して該レンズホルダの一側縁に対して平行する仮想線とそのレン
ズホルダの一側縁との間に位置決めされていることを特徴としている。
【００１３】
請求項２に記載の発明は、請求項１に記載の発明において、前記レンズホルダの他側縁
に切り欠き溝が形成され、該切り欠き溝に前記リードスクリューが遊嵌入されていること
を特徴としている。
【発明の効果】
【００１４】
請求項１に記載の発明によれば、リードスクリューを正逆回転させることにより、リー
ドナットも正逆回転され、各アームが各ストッパに押し付けられ、その押付け方向がレン
ズホルダの一側縁に向かって同じであるから、従来のようにレンズホルダがガイドロッド
を中心に揺動されることがなく、球面収差補正レンズの中心を光軸に一致させた状態を確
実に維持して、球面収差補正を正常に行なうことができる。
【００１５】
また、各アームによる押付力でレンズホルダがガイドロッドを中心に回動されないよう
に該レンズホルダの段差に形成したガイドレール当接面をガイドレールの一方のガイド面
に当接させており、そのガイドレールの一方のガイド面と段差のガイドレール当接面との
２面を精密に仕上げるだけでよく、従来の４面を精密仕上げする場合に比べて精密仕上げ
面が半減されているから、構造簡単でコストダウンを図ることができる。
【００１６】
請求項２に記載の発明によれば、レンズホルダの他側縁に切り欠き溝が形成されている
ので、組立作業時には、スライドベース内に先にレンズホルダを組み込み、後からリード
スクリューを組み込んで、その組立作業を能率良く行なうことができる。
【００１７】
また、持ち運びする際に落下させるなどして衝撃を受けたとき、その衝撃力で段差のガ
イドレール当接面がガイドレールから離間され、レンズホルダがスライドベース内の所定
位置から外れかけても、切り欠き溝の底面がリードスクリューに当たって、その離間を阻
止するので、レンズホルダの位置ずれを確実に阻止することができる。
【図面の簡単な説明】
【００１８】
【図１】本発明の実施の一形態であるディスク装置の平面図である。
【図２】（ａ）はＡ−Ａ矢視図、（ｂ）はＢ−Ｂ矢視図、（ｃ）はＣ−Ｃ矢視図である。
【図３】同要部の斜視図である。
【図４】ディスク装置の概略図である。
【図５】従来例を示す平面図である。
【図６】（ａ）はＤ−Ｄ矢視図、（ｂ）はＥ−Ｅ矢視図、（ｃ）はＦ−Ｆ矢視図である。
【発明を実施するための形態】
【００１９】
図１〜図３は本発明の実施の一形態であるディスク装置を示すものであり、これはＢｌ
ｕ−ｒａｙ  Ｄｉｓｃ式のレコーダ（またはプレーヤ）であって、レンズホルダ６の他端
部に段差１８が形成され、該段差１８のガイドレール当接面１８ａがガイドレール９のガ
イド面９ａに移動可能に当接され、レンズホルダ６の一側縁６ａの中央ボス部６Ａと段差
１８との間にリードスクリュー１２を間に挟んで一対のストッパ１９が一体突設され、リ
ードナット１３から側方に突出して各ストッパ１９に当接する一対のアーム１３ｂ，１３
ｃが設けられ、図２（ａ）に示すように、各ストッパ１９のアーム当接面１９ａがレンズ
ホルダ６の中央ボス部６Ａの軸心Ｘとは直交して該レンズホルダ６の一側縁６ａに対して
平行する仮想線Ｓとそのレンズホルダ６の一側縁６ａとの間ｈに位置決めされている。上
記以外の構成は図４〜図６に示す構成とほぼ同じであるから、同一部分に同一符号を付し
てその説明を省略する。
【００２０】
球面収差の補正手順を説明すると、モータ１１を駆動してリードスクリュー１２を正逆
回転させることにより、リードナット１３が正転ｃされると、該リードナット１３の一方
のアーム１３ｂが一方のストッパ１９に当たってレンズホルダ６が矢印ｆ方向に押され、
リードナット１３が逆転ｄされると、該リードナット１３の他方のアーム１３ｃが他方の
ストッパ１９に当たってレンズホルダ６が矢印ｆ方向に押され、いずれの場合も、レンズ
ホルダ６が一方向（矢印ｆ方向）に押された状態で、リードナット１３とレンズホルダ６
とを一体的に矢印ａ，ｂ方向に移動させ、これによって、球面収差補正レンズ４を光軸Ｏ
に沿って往復移動させて球面収差を補正し、ディスクＤの記録面で反射された反射光に基
づいて情報を読み取り、映像の再生や記録を行う。
【００２１】
上記構成によれば、リードナット１３が正逆回転ｃ，ｄされても、レンズホルダ６が一
方向（矢印ｆ方向）にだけ押され、従来のようにレンズホルダ６がガイドロッド７を中心
に揺動されることがなく〔図６（ａ）参照〕、球面収差補正レンズ４の中心を光軸Ｏに一
致させた状態を確実に維持して、球面収差補正を正常に行なうことができる。
【００２２】
また、各アーム１３ｂ，１３ｃによる押付力でレンズホルダ６がガイドロッド７を中心
に回動されないように該レンズホルダ６の段差１８に形成したガイドレール当接面１８ａ
をガイドレール９の一方のガイド面９ａに当接させており、そのガイドレール９の一方の
ガイド面９ａと段差１８のガイドレール当接面１８ａとの２面を精密に仕上げるだけでよ
く、従来の４面を精密仕上げする場合〔図６（ａ）参照〕に比べて精密仕上げ面が半減さ
れているから、構造簡単で製作費を安くすることができる。
【００２３】
更に、レンズホルダ６の他側縁６ｃに切り欠き溝１０が形成されているので、組立作業
時には、スライドベース１内に先にレンズホルダ６を組み込み、後からリードスクリュー
１２を組み込んで、その組立作業を能率良く行なうことができる。
【００２４】
しかも、持ち運びする際に落下させるなどして衝撃を受けたとき、その衝撃力で段差１
８のガイドレール当接面１８ａがガイドレール９から離間され、レンズホルダ６がスライ
ドベース１内の所定位置から外れかけても、切り欠き溝１０の底面がリードスクリュー１
２に当たって、その離間を阻止するので、レンズホルダ６の位置ずれを確実に阻止するこ
とができる。
【符号の説明】
【００２５】
１              スライドベース
２              光ピックアップ
３              球面収差補正機構
４              球面収差補正レンズ
６              レンズホルダ
６Ａ            レンズホルダの中央ボス部
７              ガイドロッド
９              ガイドレール
１０            切り欠き溝
１２            リードスクリュー
１３            リードナット
１３ｂ，１３ｃ  アーム
１５            ばね
１８            段差
１８ａ          段差のガイドレール当接面
１９            ストッパ
１９ａ          ストッパのアーム当接面
Ｄ              ディスク
ＯＬ            対物レンズ
ＬＤ            レーザダイオード
Ｏ              光軸
【図１】
2011060374.tif 000003
【図２】
2011060374.tif 000004
【図３】
2011060374.tif 000005
【図４】
2011060374.tif 000006
【図５】
2011060374.tif 000007
【図６】
2011060374.tif 000008